(57)【要約】【課題】組み立て時及び交換時における作業性が向上された光源ユニットを提供する。【解決手段】光源ユニット２００は、記器具本体１００から供給される電力を受けるための口金２３０ａと、口金２３０ａに接続された電源ユニット２３２と、電源ユニット２３２を収容する回路ケース２３３と、回路ケース２３３を囲む枠状の発光モジュール２２０と、回路ケース２３３を覆う第１カバー部２６１と、第１カバー部２６１と離隔して配置された、発光モジュール２２０を覆う枠状の第２カバー部２６２と、第１カバー部２６１及び第２カバー部２６１を連結する第２連結部２６３とを有する光源カバー２６０とを備える。発光モジュール２２０は、光源ユニット２００が器具本体１００に取り付けられた状態で、回路ケース２３３より器具本体１００側に位置しており、かつ、第１カバー部２６１、第２カバー部２６２、及び、第２連結部２６３は、一体成形品である。【選択図】図５
2020177803.tif 000002
【特許請求の範囲】
【請求項１】
器具本体に着脱自在に取り付けられる光源ユニットであって、
前記器具本体から供給される電力を受けるための口金と、
前記口金に接続された電源ユニットと、
前記電源ユニットを収容する回路ケースと、
前記回路ケースを囲む枠状の第１発光モジュールであって、前記電源ユニットからの電力により発光する第１発光モジュールと、
前記回路ケースを覆う第１カバー部と、前記第１カバー部と離隔して配置された、前記第１発光モジュールを覆う枠状の第２カバー部と、前記第１カバー部及び前記第２カバー部を連結する第３カバー部とを有する透光性のカバーとを備え、
前記第１発光モジュールは、前記光源ユニットが前記器具本体に取り付けられた状態で、前記回路ケースより前記器具本体側に位置しており、
前記第１カバー部、前記第２カバー部、及び、前記第３カバー部は、一体成形品である
光源ユニット。
【請求項２】
前記回路ケースは、前記電源ユニットから前記第１発光モジュールに電力を供給するための１以上の配線が挿通される開口が形成された有底筒状のケース部と、前記ケース部の筒状部からフランジ状に突出したフランジ部であって、前記１以上の配線を保持するための第１保持部を有するフランジ部を有し、
さらに、第１底面部と当該第１底面部の外周部から前記回路ケース側に突出した第１側面部とを有し、前記第１側面部が前記フランジ部に載置されることで前記開口を覆う回路カバーを備え、
前記第１側面部は、前記回路カバーを前記フランジ部に載置したときに前記第１保持部が配置されている位置に第１切り欠きを有し、
前記第１切り欠きは、前記第１保持部と前記第１側面部との距離が前記１以上の配線それぞれの幅の合計値より大きくなるように設けられる
請求項１に記載の光源ユニット。
【請求項３】
さらに、
前記回路ケースが着脱自在に取り付けられる第１本体部、及び、前記第１本体部と離隔して配置された、前記第１発光ジュールが取り付けられる第２本体部を有する本体部と、
前記回路ケースを前記第１本体部に固定するための板状の固定板とを備え、
前記第１本体部は、前記１以上の配線を保持するための第２保持部を有する第２底面部と、当該第２底面部から突出して設けられた、前記固定板が載置される第２側面部とを有し、
前記第２側面部は、前記固定板を前記第２側面部に載置したときに前記第２保持部が配置されている位置に第２切り欠きを有し、
前記第２切り欠きは、前記第２側面部と前記固定板との距離が前記１以上の配線それぞれの幅の合計値より大きくなるように設けられる
請求項２に記載の光源ユニット。
【請求項４】
前記本体部は、前記第１本体部及び前記第２本体部を連結する連結部であって、前記第３カバー部に覆われる連結部を有し、
前記第２本体部は、内周部のうち前記連結部が連結される位置に前記第２カバー部側に突出する第３側面部であって、前記１以上の配線が挿通される第３切り欠きが形成されている第３側面部を有し、
前記第２カバー部は、内周部から前記第２本体部側に突出し、かつ、前記第３側面部が配置されている位置に第４切り欠きが形成されている第４側面部を有し、
前記第４切り欠きは、前記第３側面部と前記第４側面部との距離が前記１以上の配線それぞれの幅の合計値より大きくなるように設けられる
請求項２又は３に記載の光源ユニット。
【請求項５】
さらに、前記回路ケースと前記第１カバー部との間に配置された第２発光モジュールとを備える
請求項１〜４のいずれか１項に記載の光源ユニット。
【請求項６】
前記第１カバー部及び前記第２カバー部のそれぞれは、平坦部を有する
請求項１〜５のいずれか１項に記載の光源ユニット。
【請求項７】
前記第１発光モジュールは、前記口金より前記器具本体側に配置されている
請求項１〜６のいずれか１項に記載の光源ユニット。
【請求項８】
請求項１〜７のいずれか１項に記載の光源ユニットと、
前記器具本体とを備える
照明器具。
【発明の詳細な説明】
【技術分野】
【０００１】
本発明は、器具本体に着脱自在に取り付けられる光源ユニット、及び、当該光源ユニットを備える照明器具に関する。
【背景技術】
【０００２】
従来、一対の電極ピンを備えたいわゆるＧＸ５３形の口金を用いた光源ユニットが知られている。この光源ユニットは、造営材等に取り付けられた器具本体が有するソケットに電極ピンを挿入することで、ソケットに対する光源ユニットの支持と電気的な接続とを同時に実現している。
【０００３】
光源ユニットは、給電用の点灯回路と、当該点灯回路からの電力により発光する光源とを備える。特許文献１には、点灯回路と光源とが分離して配置された光源ユニットが開示されている。
【先行技術文献】
【特許文献】
【０００４】
【特許文献１】特開２０１６−０４８６８７号公報
【発明の概要】
【発明が解決しようとする課題】
【０００５】
ところで、光源ユニットは、組み立て時及び交換時における作業性が向上されることが望まれる。
【０００６】
そこで、本発明は、組み立て時及び交換時における作業性が向上された光源ユニット、及び、照明器具を提供することを目的とする。
【課題を解決するための手段】
【０００７】
上記目的を達成するために、本発明の一態様に係る光源ユニットは、器具本体に着脱自在に取り付けられる光源ユニットであって、前記器具本体から供給される電力を受けるための口金と、前記口金に接続された電源ユニットと、前記電源ユニットを収容する回路ケースと、前記回路ケースを囲む枠状の第１発光モジュールであって、前記電源ユニットからの電力により発光する第１発光モジュールと、前記回路ケースを覆う第１カバー部と、前記第１カバー部と離隔して配置された、前記第１発光モジュールを覆う枠状の第２カバー部と、前記第１カバー部及び前記第２カバー部を連結する第３カバー部とを有する透光性のカバーとを備え、前記第１発光モジュールは、前記光源ユニットが前記器具本体に取り付けられた状態で、前記回路ケースより前記器具本体側に位置しており、前記第１カバー部、前記第２カバー部、及び、前記第３カバー部は、一体成形品である。
【０００８】
また、上記目的を達成するために、本発明の一態様に係る照明器具は、上記の光源ユニットと、前記器具本体とを備える。
【発明の効果】
【０００９】
本発明の一態様によれば、組み立て時及び交換時における作業性が向上された光源ユニット、及び、照明器具を提供することができる。
【図面の簡単な説明】
【００１０】
【図１】実施の形態１に係る照明器具の外観を示す斜視図である。
【図２】実施の形態１に係る照明器具の構成を示す分解斜視図である。
【図３】実施の形態１に係る光源ユニットの器具本体と反対側の外観を示す斜視図である。
【図４】実施の形態１に係る光源ユニットの器具本体側の外観を示す斜視図である。
【図５】実施の形態１に係る光源ユニットの構成を示す分解斜視図である。
【図６】実施の形態１に係る回路カバー及び回路ケースにおける配線のかみ込みを防止するための構造を説明するための図である。
【図７】実施の形態１に係る第１本体部及び固定板における配線のかみ込みを防止するための構造を説明するための図である。
【図８】実施の形態１に係る光源カバー及び第２本体部における配線のかみ込みを防止するための構造を説明するための図である。
【図９】実施の形態１に係る基板に配線が配置された様子を示す図である。
【図１０】実施の形態１に係る光源ユニットの断面図である。
【図１１】実施の形態２に係る光源ユニットの構成を示す分解斜視図である。
【発明を実施するための形態】
【００１１】
以下では、本発明の実施の形態に係る光源ユニット、及び、照明器具について、図面を用いて詳細に説明する。なお、以下で説明する実施の形態は、いずれも本発明の一具体例を示すものである。したがって、以下の実施の形態で示される数値、形状、材料、構成要素、構成要素の配置位置及び接続形態などは、一例であり、本発明を限定する主旨ではない。よって、以下の実施の形態における構成要素のうち、独立請求項に記載されていない構成要素については、任意の構成要素として説明される。
【００１２】
また、各図は、模式図であり、必ずしも厳密に図示されたものではない。したがって、例えば、各図において縮尺などは必ずしも一致しない。
【００１３】
また、以下の実施の形態で説明に用いられる図面においては座標軸が示される場合がある。Ｚ軸のマイナス側が設置面側（例えば、天井側）、Ｚ軸のプラス側が設置面と反対側であり、例えば、照射面側を表している。また、Ｘ軸方向及びＹ軸方向は、Ｚ軸方向に垂直な平面上において、互いに直交する方向である。Ｘ−Ｙ平面は、例えば、器具本体が設置される造営材と平行な平面である。例えば、以下の実施の形態において、「平面視」とは、Ｚ軸方向から見ることを意味する。
【００１４】
また、本明細書において、平行などの要素間の関係性を示す用語、及び、円環状、アーチ状などの要素の形状を示す用語、並びに、数値、及び、数値範囲は、厳格な意味のみを表す表現ではなく、実質的に同等な範囲、例えば数％程度の差異をも含むことを意味する表現である。
【００１５】
（実施の形態１）
以下、本実施の形態に係る光源ユニット２００を備える照明器具１０について、図１〜図１０を参照しながら説明する。
【００１６】
［１.照明器具の構成］
図１は、本実施の形態に係る照明器具１０の外観を示す斜視図である。図２は、本実施の形態に係る照明器具１０の構成を示す分解斜視図である。
【００１７】
図１及び図２に示すように、本実施の形態に係る照明器具１０は、器具本体１００と、光源ユニット２００と、器具カバー３００（例えば、グローブ）とを備える。照明器具１０は、造営材等の設置面（例えば、天井６００又は壁）に設置される。照明器具１０は、例えば、マンションの共用通路の天井６００又は壁などの、外部環境に曝される場所に設置される。
【００１８】
器具本体１００は、設置面に設置され、光源ユニット２００が着脱自在に取り付けられる本体部である。器具本体１００は、商用電源（図示しない）と配線（図示しない）を介して電気的に接続されている。
【００１９】
器具本体１００は、ソケット１１０を有する。ソケット１１０は、光源ユニット２００を固定し、かつ、光源ユニット２００が発光するための電力を供給する。ソケット１１０には開口１１１が形成されており、当該開口１１１に光源ユニット２００の電極ピン２３１（図４の参照）が挿通された状態でソケット１１０に対して光源ユニット２００を回転させることで、ソケット１１０に光源ユニット２００が取り付けられる。
【００２０】
器具本体１００は、例えば、樹脂材料又は金属材料から構成される。
【００２１】
光源ユニット２００は、ソケット１１０から電力の供給を受けて発光する。光源ユニット２００は、ソケット１１０に着脱自在に取り付けられる。電源ユニット２３２（図５参照）及び口金２３０ａ（図４参照）が配置される電源部２００ａと、電源部２００ａを囲む発光部２００ｂと、電源部２００ａ及び発光部２００ｂを接続する連結部２００ｃとを有する。また、光源ユニット２００には、開口２００ｄが形成されている。本実施の形態に係る光源ユニット２００は、電源部２００ａと発光部２００ｂとが離隔して配置される。そして、少なくとも１つの連結部２００ｃの内部に電源部２００ａから発光部２００ｂに電力を供給するための配線２３５（図５参照）が配置される。光源ユニット２００の詳細は、後述する。
【００２２】
器具カバー３００は、透光性の部材により形成されており、光源ユニット２００から発せられた光を透過する。器具カバー３００は、光源ユニット２００を覆うように、器具本体１００に着脱自在に取り付けられる。器具カバー３００は、光源ユニット２００から発せられた光を拡散する機能を有していてもよい。例えば、シリカもしくは炭酸カルシウムなどの光拡散材（微粒子）を含有する樹脂、又は、白色顔料を、透明なガラス又は樹脂で形成された器具カバー３００の内面又は外面に付着させることで、乳白色の光拡散膜が器具カバー３００に形成される。また、器具カバー３００そのものが、光拡散材が分散された樹脂材料等を用いて成形されてもよい。
【００２３】
［２.光源ユニットの構成］
次に、光源ユニット２００について、さらに図３〜図５を参照しながら説明する。図３は、本実施の形態に係る光源ユニット２００の器具本体１００と反対側の外観を示す斜視図である。図４は、本実施の形態に係る光源ユニット２００の器具本体１００側の外観を示す斜視図である。図５は、本実施の形態係る光源ユニット２００の構成を示す分解斜視図である。
【００２４】
図３〜図５に示すように、光源ユニット２００は、本体部２１０と、発光モジュール２２０と、回路部２３０と、回路カバー２４０と、固定板２５０と、光源カバー２６０（例えば、グローブ）とを有する。
【００２５】
［２−１.本体部］
本体部２１０は、発光モジュール２２０と、回路部２３０と、固定板２５０と、光源カバー２６０とを支持するための支持部材である。具体的には、本体部２１０は、平面視において、中央部に配置された第１本体部２１１と、当該第１本体部２１１を囲む第２本体部２１２であって、当該第１本体部２１１と離隔して配置される第２本体部２１２と、第１本体部２１１と第２本体部２１２とを連結する第１連結部２１３とを有する。
【００２６】
第１本体部２１１は、回路部２３０を支持するための部分である。第１本体部２１１は、中央に回路部２３０を配置するための開口２１１ａが形成されている。また、第１本体部２１１は、係止部２１１ｂと、底面部２１１ｃと、底面部２１１ｃから突出して設けられた、固定板２５０を支持するための側面部２１１ｄ１と、側面部２１１ｄ１の一部からＺ軸プラス側に突出するリブ２１１ｄ２とを有する。第１本体部２１１の平面視形状は、環状（例えば、円環状）である。第１本体部２１１は、後述する光源カバー２６０の第１カバー部２６１に覆われる。なお、底面部２１１ｃは、第２底面部の一例であり、側面部２１１ｄ１は、第２側面部の一例である。
【００２７】
第２本体部２１２は、発光モジュール２２０を支持するための部分である。第２本体部２１２は、平面視において、第１本体部２１１を囲む環状の部材である。本実施の形態では、第２本体部２１２は、平面視において、円環状の第１本体部２１１を囲む円環状である。第１本体部２１１及び第２本体部２１２は、例えば、同心円状に形成される。また、本実施の形態では、第２本体部２１２は、第１本体部２１１より器具本体１００側に配置される。なお、第２本体部２１２が第１本体部２１１より器具本体１００側に配置されるとは、第２本体部２１２の少なくとも一部が第１本体部２１１より器具本体１００側に配置されていることを意味する。第２本体部２１２は、後述する光源カバー２６０の第２カバー部２６２に覆われる。
【００２８】
第１連結部２１３は、第１本体部２１１と第２本体部２１２とを連結するための部分である。第１連結部２１３は、平面視において、第１本体部２１１から第２本体部２１２に延在する矩形状である。本実施の形態では、３つの第１連結部２１３が互いに離隔して配置される。つまり、第１連結部２１３は、環状ではない。なお、第１連結部２１３の形状及び数は、上記に限定されない。第１連結部２１３は、後述する光源カバー２６０の第２連結部２６３に覆われる。
【００２９】
本実施の形態では、第１本体部２１１と第２本体部２１２とはＺ軸方向の位置が異なるので、第１連結部２１３は、Ｚ軸に対して所定の角度で延在する。所定の角度は、０°より大きく、かつ、９０°より小さい角度である。つまり、第１連結部２１３は、斜め方向に延在する。
【００３０】
このように形成された本体部２１０には、開口２１３ａが形成される。本実施の形態では、３つの開口２１３ａが形成される。開口２１３ａは、第１本体部２１１及び第２本体部２１２が隔離しており、かつ、第１連結部２１３が互いに離隔して配置されることにより形成される。開口２１３ａは、例えば、人の指が入る程度の大きさであるとよい。これにより、例えば、光源ユニット２００を持つときに、開口２１３ａに指を入れて第１本体部２１１をつかむことができる。よって、光源ユニット２００を器具本体１００に取り付けるときの作業性が向上する。なお、指が入る程度の大きさとは、例えば、ＪＩＳ  Ｃ  ０９２０（ＩＥＣ６０５２９）で規定されたテストフィンガーが入る程度の大きさである。例えば、指が入る程度の大きさとは、例えば、上記のテストフィンガーが３本又は４本入る程度の大きさである。例えば、平面視における開口２１３ａの大きさは、例えば、径方向の長さが２ｃｍ〜２．５ｃｍ、周方向の長さが８ｃｍ〜１０ｃｍ程度である。なお、周方向の長さは、例えば、アーチ状の開口２１３ａにおける周方向の長さの中央値である。
【００３１】
第１連結部２１３には、配線２３５を保持するための保持部２１４が形成されている。保持部２１４は、２以上の突条のリブを有する。配線２３５は、突条のリブの間の溝２１４ｂ（図７参照）にはめこまれる。保持部２１４は、少なくとも１つの第１連結部２１３に形成されていればよい。
【００３２】
また、第１連結部２１３には、光源カバー２６０側（Ｚ軸プラス側）の面に目印２１３ｂが形成される。当該目印２１３ｂは、光源カバー２６０を本体部２１０に取り付けるときの光源カバー２６０の向きを示す。目印２１３ｂは、平面視において、２個の電源ピン２３１のうち一方の電源ピン２３１と同一の方向に位置する第１連結部２１３に形成される。同一の方向とは、平面視において、光源ユニット２００の中心に対する方向を意味する。本実施の形態では、電源ピン２３１の一方は、図４に示すように、光源ユニット２００の中心に対してＸ軸プラス側に配置されており、かつ、目印２１３ｂは、図５に示すように、光源ユニット２００の中心に対してＸ軸プラス側に配置されている。この場合、Ｘ軸プラス方向が同一の方向である。
【００３３】
なお、目印２１３ｂは、２個の電源ピン２３１のうちの一方の電源ピン２３１と同一の方向に位置する第１連結部２１３に形成されていることに限定されず、少なくとも１つの第１連結部２１３に形成されていればよい。例えば、目印２１３ｂは、保持部２１４が形成されていない第１連結部２１３に形成されてもよい。
【００３４】
本体部２１０は、樹脂などの絶縁材料で形成されている。本体部２１０は、例えば、樹脂成形品である。第１本体部２１１、第２本体部２１２、及び、第１連結部２１３を有する本体部２１０は、一体成形品である。本体部２１０は、発光素子２２２からの光により本体部２１０から臭素等のガスが発生することを抑制する観点から、ＰＢＴ（Ｐｏｌｙｂｕｔｙｌｅｎｅ  Ｔｅｒｅｐｈｔｈａｌａｔｅ）以外の樹脂で形成されるとよい。本体部２１０は、例えば、ポリカーボネート等により形成されとよい。
【００３５】
なお、本実施の形態では、本体部２１０と回路部２３０とを別部材としたが、光源ユニット２００の特性仕様によってはこれに限定されず、本体部２１０と回路部２３０とは、一体成型品でもよい。
【００３６】
［２−２.発光モジュール］
発光モジュール２２０は、例えば白色光を発するための光源である。白色光とは、例えば、色温度（相関色温度）が２６００Ｋ〜７１００Ｋの光である。発光モジュール２２０は、第２本体部２１２上に取り付けられる。発光モジュール２２０は、回路部２３０（例えば、回路ケース２３３）を囲む環状に設けられる。発光モジュール２２０は、複数の基板２２１と、複数の基板２２１の各々に実装された複数の発光素子２２２とを有する。
【００３７】
基板２２１は、複数の発光素子２２２を実装するためのプリント配線基板であり、アーチ状に形成されている。複数の基板２２１は、第１本体部２１１を囲むように第２本体部２１２に締結部材２７１（例えば、ネジであり、図９参照）により取り付けられる。なお、本実施の形態では発光モジュール２２０は３つの基板２２１から構成されている例について説明するが、基板２２１の数はこれに限定されない。また、基板２２１の形状は、アート状に限定されない。
【００３８】
基板２２１としては、例えば、樹脂をベースとする樹脂基板、金属をベースとするメタルベース基板、セラミックからなるセラミック基板等を用いることができる。また、基板２２１は、リジッド基板に限定されず、フレキシブル基板であってもよい。
【００３９】
複数の発光素子２２２は、基板２２１の周方向に配置されている。本実施の形態では、複数の発光素子２２２は、基板２２１の周方向に３列配置されている。本実施の形態では、３列の発光素子列は、円環状である。また、各列において、複数の発光素子２２２は、基板２２１の周方向に等間隔ごとに配置される。
【００４０】
発光素子２２２の各々は、パッケージ化された表面実装（ＳＭＤ：Ｓｕｒｆａｃｅ  Ｍｏｕｎｔ  Ｄｅｖｉｃｅ）型の白色ＬＥＤ素子である。すなわち、発光素子２２２の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００４１】
このように、発光素子２２２の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして発光素子２２２の各々から白色光が出射される。
【００４２】
発光モジュール２２０は、電源ユニット２３２からの電極により発光する。発光モジュール２２０は、第１発光モジュールの一例である。
【００４３】
なお、照明器具１０の光源は、特に限定されるものではない。例えば、発光モジュール２２０の代わりに、半導体レーザ等の半導体発光素子、有機ＥＬ素子（ＯＬＥＤ）、無機ＥＬ素子、又は、その他の固体発光素子を用いて構成された発光モジュールが用いられてもよい。また、発光モジュール２２０は白色光を発光する例について説明したが、発光色はこれに限定されない。
【００４４】
発光モジュール２２０は、光源ユニット２００が器具本体１００に取り付けられた状態で、回路部２３０（例えば、回路ケース２３３）より器具本体１００（つまり、設置面）に近い位置に配置される。発光モジュール２２０は、例えば、光源ユニット２００が器具本体１００に取り付けられた状態で、口金２３０ａより器具本体１００側に配置されてもよい。発光モジュール２２０が器具本体１００側に配置されていることで、照明効果を高めることができる。なお、発光モジュール２２０が回路部２３０より器具本体１００側に配置されるとは、発光モジュール２２０の少なくとも一部が回路部２３０より器具本体１００側に配置されていることを意味する。
【００４５】
［２−３.回路部、回路カバー、及び、固定板］
回路部２３０は、光源ユニット２００が発光するための電力を生成し、光源ユニット２００に供給する。回路部２３０は、電極ピン２３１と、電源ユニット２３２と、回路ケース２３３とを有する。また、回路ケース２３３の設置面側（Ｚ軸マイナス側）に、ソケット１１０に装着される口金２３０ａが設けられている。回路ケース２３３の設置面側が口金２３０ａの一部として構成されている。口金２３０ａは、器具本体１００から供給される電力を受けるための部材である。
【００４６】
電極ピン２３１は、口金２３０ａから突出して設けられ、光源ユニット２００を発光させるための電力を器具本体１００から受電する電源受電用のピンである。本実施の形態では、電極ピン２３１は、口金２３０ａから突出して形成される径小部と径小部の先端に配置され径小部より径が大きい径大部とから構成される。口金２３０ａは、例えば、ＧＸ５３形の口金である。
【００４７】
なお、口金２３０ａは、ＧＸ形の口金に限定されず、例えば、Ｅ形の口金、引っかけシーリングの口金などであってもよい。また、電極ピン２３１の数は、２個に限定されない。
【００４８】
電源ユニット２３２は、基板２３２ａと、基板２３２ａに実装された複数の回路部品２３２ｂとを有する。電源ユニット２３２は、口金２３０ａ（具体的には、電極ピン２３１）と接続されている。
【００４９】
基板２３２ａは、複数の回路部品２３２ｂを実装するためのプリント配線基板である。基板２３２ａは、例えば、複数の回路部品２３２ｂが設置面と反対側を向くようにして、回路ケース２３３に収容されている。
【００５０】
複数の回路部品２３２ｂのそれぞれは、光源ユニット２００を発光させるための電力を生成するための回路を構成する電源用回路部品である。複数の回路部品２３２ｂは、上述した商用電源から配線を介して供給されてきた交流電力を直流電力に変換する。複数の回路部品２３２ｂで生成された直流電力が発光モジュール２２０に供給されることにより、発光モジュール２２０が発光する。
【００５１】
複数の回路部品２３２ｂのそれぞれは、基板２３２ａの設置面とは反対側の面に実装されているが、これに限定されない。なお、基板２３２ａと回路ケース２３３との間における配線２３５のかみ込みを抑制する観点から、複数の回路部品２３２ｂのそれぞれが、基板２３２ａの設置面とは反対側の面に実装されているとよい。
【００５２】
なお、複数の回路部品２３２ｂには、上述した電源用回路部品だけでなく、その他の回路を構成する回路部品が含まれていてもよい。例えば、複数の回路部品２３２ｂは、調光回路又は昇圧回路等を構成する駆動用回路部品を含んでいてもよく、あるいは、通信回路を構成する通信用回路部品（通信モジュール）等を含んでいてもよい。
【００５３】
回路ケース２３３は、底面部２３３ａ１と底面部２３３ａ１の周囲から設置面と反対側に突出する側面部２３３ａ２とを有する有底筒状の第１ケース部２３３ａ、及び、第１ケース部２３３ａの側面部２３３ａ２（例えば、側面部２３３ａ２の先端）からフランジ状に突出する底面部２３３ｂ１と底面部２３３ｂ１の周囲から設置面と反対側に突出する側面部２３３ｂ２とを有する第２ケース部２３３ｂを有する。底面部２３３ａ１の平面視形状は、例えば、円形であり、底面部２３３ｂ１の平面視形状は、例えば、円環状である。また、回路ケース２３３内に、電源ユニット２３２が収容される。なお、底面部２３３ｂ１は、フランジ部の一例である。
【００５４】
第１ケース部２３３ａには、電源ユニット２３２から発光モジュール２２０に電力を供給するための配線が挿通される開口２３３ａ３が形成されている。当該開口２３３ａ３は、後述する回路カバー２４０によって覆われる。また、電極ピン２３１は、例えば、底面部２３３ｂ１から突出して設けられる。第１ケース部２３３ａは、ケース部の一例である。
【００５５】
また、第２ケース部２３３ｂの側面部２３３ｂ２には、第１本体部２１１に設けられた係止部２１１ｂに引っかかって取り付けられる爪部２３３ｃが設けられる。言い換えると、回路ケース２３３は、第１本体部２１１に着脱自在に取り付けられる。これにより、例えば、取り付ける器具本体１００のソケット１１０の種類（ＧＸ５３形ソケット、Ｅ形ソケットなど）に応じて、適宜ソケット１１０を取り替えることができる。なお、回路ケース２３３の形状は、上記に限定されない。
【００５６】
回路ケース２３３は、例えば、樹脂などの絶縁材料で形成されている。回路ケース２３３は、例えば、本体部２１０とは異なる樹脂で形成されている。回路ケース２３３は、例えば、回路ケース２３３の耐熱性を向上させる観点から、ＰＢＴで形成されるとよい。なお、回路ケース２３３の少なくとも一部は、金属で形成されていてもよい。これにより、基板２３２ａ及び複数の回路部品２３２ｂで発生した熱を効率よく放熱することができる。
【００５７】
回路カバー２４０は、第１ケース部２３３ａの開口２３３ａ３を覆うカバーである。回路カバー２４０は、例えば、底面部２４１と底面部２４１の周囲（外周部）から設置面側に突出する側面部２４２とを有する有底筒状のカバーである。底面部２４１は、平面視において、底面部２３３ａ１より大きく、かつ、底面部２３３ｂ１より小さい。そのため、回路カバー２４０は、底面部２３３ｂ１上に載置されることで、開口２３３ａ３を覆う。なお、底面部２４１は、第１底面部の一例であり、側面部２４２は、第１側面部の一例である。
【００５８】
回路カバー２４０は、例えば、樹脂などの絶縁材料で形成されている。回路カバー２４０は、例えば、回路ケース２３３と同じ樹脂で形成されている。回路カバー２４０は、例えば、回路カバー２４０の耐熱性を向上させる観点から、ＰＢＴで形成されるとよい。
【００５９】
ここで、基板２３２ａから光源ユニット２００まで延設される配線２３５における回路ケース２３３と回路カバー２４０との間のかみ込み（線かみ）について、図６を参照しながら説明する。図６は、本実施の形態に係る回路カバー２４０及び回路ケース２３３における配線２３５のかみ込みを防止するための構造を説明するための図である。図６は、回路部２３０及び回路カバー２４０の一部のみを示す拡大斜視図である。
【００６０】
図６に示すように、回路ケース２３３の底面部２３３ｂ１には、配線２３５を保持するための保持部２３４が形成されている。具体的には、保持部２３４は、開口２３３ａ３（図５参照）から第１連結部２１３（図５参照）に向けて延設した突条のリブ２３４ａと、当該リブ２３４ａに挟まれた溝２３４ｂとを有する。本実施の形態では、リブ２３４ａは、３つ設けられている。溝２３４ｂは、開口２３３ａ３から第１連結部２１３に向けて延在する。例えば、溝２３４ｂに配線２３５が圧入される。１つ溝２３４ｂには、１つの配線２３５が配置される。これにより、配線２３５を固定することができる。なお、保持部２３４は、第１保持部の一例である。
【００６１】
また、回路カバー２４０の側面部２４２における、保持部２３４に対応する位置には、切り欠き２４３が形成されている。具体的には、側面部２４２は、回路カバー２４０を底面部２３３ｂ１に載置したときに保持部２３４が配置されている位置に切り欠き２４３を有する。そのため、回路カバー２４０が底面部２３３ｂ１に載置された状態で、保持部２３４と側面部２４２とは接触しない。具体的には、リブ２３４ａと側面部２４２とは接触しない。
【００６２】
切り欠き２４３は、配線２３５が保持部２３４から乗りあげた状態で、配線２３５が回路ケース２３３及び回路カバー２４０によりかみ込みが発生しない程度の大きさであるとよい。切り欠き２４３は、例えば、保持部２３４（例えばリブ２３４ａ）と側面部２４２との間の距離が配線２３５それぞれの幅Ｗ（例えば、直径）の合計値より大きくなるように設けられるとよい。本実施の形態では、配線２３５は２本であるので、切り欠き２４３は、リブ２３４ａと側面部２４２との間の距離が、２本の配線２３５の幅Ｗの合計値より大きいとよい。例えば、リブ２３４ａの上面２３４ａ１（設置面と反対側の面）と切り欠き２４３が形成された側面部２４２の下面２４４との距離Ｄ１、及び、最外に配置されたリブ２３４ａの側面２３４ａ２と切り欠き２４３が形成された側面部２４２の側面２４５との間の距離Ｄ２のそれぞれは、２本の配線２３５の幅Ｗの合計値より大きいとよい。
【００６３】
切り欠き２４３は、例えば、矩形状の切り欠きであるが、これに限定されない。また、切り欠き２４３は、第１切り欠きの一例である。
【００６４】
図５を再び参照して、固定板２５０は、回路部２３０を本体部２１０に固定するための板状の部材である。固定板２５０は、本体部２１０と接触して配置される。具体的には、固定板２５０は、平面視形状が円形状であり、第１本体部２１１から設置面と反対側に突出する環状の側面部２１１ｄ１と接触して配置される。より具体的には、固定板２５０は、固定板２５０の切り欠き２５１が側面部２１１ｄ１の一部からＺ軸プラス側に突出するリブ２１１ｄ２にはめ合わされることにより、本体部２１０に対して固定される。そして、固定板２５０は、貫通孔２５２を介して、締結部材２７０（例えば、ネジ）により回路部２３０（具体的には、回路ケース２３３）に締結される。
【００６５】
これにより、爪部２３３ｃ及び係止部２１１ｂで本体部２１０に固定された回路部２３０をより強固に本体部２１０に固定することができる。
【００６６】
固定板２５０は、例えば、金属により形成される。固定板２５０は、例えば、アルミニウムにより形成される。なお、固定板２５０は、樹脂により形成されてもよい。
【００６７】
ここで、配線２３５における固定板２５０と本体部２１０（具体的には、第１本体部２１１）との間のかみ込みについて、図７を参照しながら説明する。図７は、本実施の形態１に係る第１本体部２１１及び固定板２５０における配線２３５のかみ込みを防止するための構造を説明するための図である。図７は、第１本体部２１１、第１連結部２１３、及び、固定板２５０の一部のみを示す拡大斜視図である。
【００６８】
図７に示すように、第１本体部２１１及び第１連結部２１３には、配線２３５を保持するための保持部２１４が形成されている。具体的には、保持部２１４は、第１本体部２１１（例えば、底面部２１１ｃ）から第２本体部２１２に向けて延設した突条のリブ２１４ａと、当該リブ２１４ａに挟まれた溝２１４ｂとを有する。本実施の形態では、リブ２１４ａは、３つ設けられている。溝２１４ｂは、第１本体部２１１から第２本体部２１２に向けて延在する。溝２１４ｂには、配線２３５が配置される。１つ溝２１４ｂには、１つの配線２３５が配置される。これにより、配線２３５を固定することができる。保持部２１４は、第２保持部の一例である。
【００６９】
また、第１本体部２１１の側面部２１１ｄ１における、保持部２１４に対応する位置には、切り欠き２１１ｅが形成されている。具体的には、側面部２１１ｄ１は、固定板２５０を側面部２１１ｄ１に載置したたときに保持部２１４が配置されている位置に切り欠き２１１ｅを有する。切り欠き２１１ｅは、保持部２１４が形成される位置に設けられる第１切り欠き部２１１ｆと、第１切り欠き部２１１ｆより固定板２５０側に設けられ、かつ、第１切り欠き部２１１ｆの幅Ｗ１より大きい幅Ｗ２を有する第２切り欠き部２１１ｇとを有する。これにより、固定板２５０が側面部２１１ｄ１に載置された状態で、保持部２１４と固定板２５０とは接触しない。
【００７０】
第２切り欠き部２１１ｇは、配線２３５が側面部２１１ｄ１の第２切り欠き部２１１ｇにより形成される上面２１１ｈに乗りあげた状態で、配線２３５が上面２１１ｈ及び固定板２５０の下面２５３によりかみ込みが発生しない程度の大きさであるとよい。第２切り欠き部２１１ｇは、例えば、上面２１１ｈと下面２５３との間の距離Ｄ３が配線２３５それぞれの幅Ｗの合計値より大きいとよい。本実施の形態では、配線２３５は２本であるので、第２切り欠き部２１１ｇは、例えば、距離Ｄ３が２本の配線２３５の幅Ｗの合計値より大きいとよい。第２切り欠き部２１１ｇは、例えば、矩形状の切り欠きであるが、これに限定されない。なお、第２切り欠き部２１１ｇは、第２切り欠きの一例である。
【００７１】
［２−４.光源カバー］
図３及び図５を再び参照して、光源カバー２６０は、発光モジュール２２０及び回路部２３０を覆う透光性のカバーである。光源カバー２６０は、平面視において、回路部２３０（例えば、回路ケース２３３）を覆う第１カバー部２６１と、第１カバー部２６１と離隔して配置された、発光モジュール２２０を覆う枠状の第２カバー部２６２と、第１カバー部２６１と第２カバー部２６２とを連結する第２連結部２６３とを有する。本実施の形態では、光源カバー２６０が発光モジュール２２０を有していない回路部２３０を覆う点に構造上の特徴を有する。
【００７２】
第１カバー部２６１は、平面視において、円形状であり、回路部２３０を覆う。本実施の形態では、第１カバー部２６１は、回路部２３０の上に配置された固定板２５０を覆う。第１カバー部２６１は、例えば、平坦な平坦部２６１ａを有する。平坦部２６１ａは、例えば、固定板２５０と平行な面である。
【００７３】
第２カバー部２６２は、平面視において、第１カバー部２６１を囲む環状の部材である。本実施の形態では、第２カバー部２６２は、円形状の第１カバー部２６１を囲む円環状である。第１カバー部２６１及び第２カバー部２６２は、例えば、同心円状に形成される。また、本実施の形態では、第２カバー部２６２は、第１カバー部２６１より器具本体１００側に配置される。
【００７４】
第２カバー部２６２は、例えば、平坦な平坦部２６２ａを有する。平坦部２６２ａは、例えば、基板２２１と平行な面である。また、平坦部２６２ａは、例えば、平坦部２６１ａと平行な面である。
【００７５】
第２連結部２６３は、平面視において、第１カバー部２６１から第２カバー部２６２に延在する矩形状である。例えば、３つの第２連結部２６３が互いに離間して配置される。つまり、第２連結部２６３は、環状ではない。なお、第２連結部２６３の形状及び数は、上記に限定されない。第２連結部２６３は、例えば、２以上設けられる。
【００７６】
本実施の形態では、第２連結部２６３は、第１連結部２１３を覆うように配置される。これにより、第１連結部２１３に配置された配線を保護することができる。なお、第２連結部２６３は、第３カバー部の一例である。
【００７７】
また、第２連結部２６３は、発光モジュール２２０からの光を第１カバー部２６１側に導光する機能を有していてもよい。これにより、発光モジュールを有さない電源部２００ａが明るくなることで、光源ユニット２００からの光の明るさが不均一になることを抑制することができる。つまり、光源ユニット２００が照射面を均一に照らすことができる。
【００７８】
本実施の形態では、第１カバー部２６１と第２カバー部２６２とはＺ軸方向の位置が異なるので、第２連結部２６３は、設置面及びＺ軸に対して所定の角度で延在する。所定の角度は、０°より大きく、かつ、９０°より小さい角度である。つまり、第２連結部２６３は、斜め方向に延在する。
【００７９】
このように形成された光源カバー２６０には、開口２６３ａが形成される。本実施の形態では、３つの開口２６３ａが形成される。開口２６３ａは、平面視において、開口２１３ａと位置及び形状が同じである。
【００８０】
また、第２連結部２６３には、本体部２１０と反対側（Ｚ軸プラス側）の面に目印２６３ｂが形成される。目印２６３ｂが形成されている第２連結部２６３と、目印２１３ｂが形成されている第１連結部２１３とが一致するように、光源カバー２６０の向きを調整して本体部２１０に取り付けることで、光源カバー２６０を容易に本体部２１０に取り付けることができる。また、光源カバー２６０に目印２６３ｂが形成されていことで、ユーザは、光源カバー２６０に形成されている目印２６３ｂとソケット１１０の開口１１１との位置とを視認しながら、器具本体１００に光源ユニット２００を取り付けることができるので、取付作業を容易に行うことができる。
【００８１】
光源カバー２６０は、透光性の部材により形成されており、発光モジュール２２０から発せられた光を透過する。光源カバー２６０は、例えば、樹脂成形品である。光源カバー２６０を構成する第１カバー部２６１、第２カバー部２６２、及び、第２連結部２６３は、一体成形品である。光源カバー２６０は、例えば、ポリカーボネート等により形成される。
【００８２】
また、光源カバー２６０は、は、発光モジュール２２０から発せられた光を拡散する機能を有していてもよい。例えば、シリカもしくは炭酸カルシウムなどの光拡散材（微粒子）を含有する樹脂、又は、白色顔料を、透明なガラス又は樹脂で形成された光源カバー２６０の内面又は外面に付着させることで、乳白色の光拡散膜が光源カバー２６０に形成される。また、光源カバー２６０そのものが、光拡散材が分散された樹脂材料等を用いて成形されてもよい。なお、光源カバー２６０は、カバーの一例である。
【００８３】
ここで、基板２３２ａから光源ユニット２００まで延設される配線２３５における光源カバー２６０と第２本体部２１２との間のかみ込みについて、図８及び図９を参照しながら説明する。図８は、本実施の形態に係る光源カバー２６０及び第２本体部２１２における配線のかみ込みを防止するための構造を説明するための図である。図９は、本実施の形態に係る基板２２１に配線２３５が配置された様子を示す図である。なお、図８は、第２本体部２１２の内周部から光源カバー２６０側（設置面と反対側）に突出した側面部２１２ａ、第２カバー部２６２の側面部２６２ｂ、及び、第２連結部２６３の一部のみを示す拡大斜視図である。また、図９は、光源カバー２６０を外した状態の、第２本体部２１２及び第１連結部２１３の接続部付近を示す拡大斜視図である。
【００８４】
図８に示すように、第２カバー部２６２には、第２カバー部２６２の内周部から第２本体部２１２側に突出する環状の側面部２６２ｂが形成されている。また、側面部２６２ｂにおける、リブ２１２ｂに対応する位置には、切り欠き２６２ｃが形成されている。具体的には、側面部２６２ｂは、光源カバー２６０を本体部２１０に取り付けたときにリブ２１２ｂが配置されている位置に切り欠き２６２ｃを有する。そのため、光源カバー２６０が本体部２１０に取り付けられた状態で、リブ２１２ｂ及び側面部２６２ｂは接触しない。側面部２６２ｂは、第４側面部の一例であり、切り欠き２６２ｃは、第３切り欠きの一例である。
【００８５】
また、図８及び図９に示すように、第２本体部２１２は、第２本体部２１２の内周部から第２カバー部２６２側（設置面と反対側）に突出する環状の側面部２１２ａ、及び、当該側面部２１２ａのうち第１連結部２１３が連結される位置に、さらに第２カバー部２６２側に突出するリブ２１２ｂを有する。リブ２１２ｂには、配線２３５が挿通される切り欠き２１２ｃが形成されている。切り欠き２１２ｃは、例えば、Ｌ字状の切り欠きであるが、配線２３５をひっかけることができる形状であれば、これに限定されない。なお、リブ２１２ｂは、第３側面部の一例である。切り欠き２１２ｃは、第３切り欠きの一例である。なお、側面部２１２ａは、例えば、平坦部２６２ａの内周部から突出して形成される。
【００８６】
切り欠き２６２ｃは、配線２３５がＬ字状の切り欠き２１２ｃから外れた状態（例えば、リブ２１２ｂに乗りあげた状態）で、配線２３５が第２カバー部２６２及び第２本体部２１２（具体的には、側面部２６２ｂ及び２１２ａ）によりかみ込みが発生しない程度の大きさであるとよい。切り欠き２６２ｃは、例えば、リブ２１２ｂ及び２６２ｂの間の距離が配線２３５それぞれの幅Ｗの合計値より大きくなるように設けられるとよい。本実施の形態では、配線２３５は２本であるので、切り欠き２６２ｃは、例えば、リブ２１２ｂと第２カバー部２６２との間の距離が、２本の配線２３５の幅Ｗの合計値より大きいとよい。例えば、リブ２１２ｂの上面２１２ｂ１（設置面側の面）と切り欠き２６２ｃが形成された側面部２６２ｂの下面２６２ｂ１との距離Ｄ４は、２本の配線２３５の幅Ｗの合計値より大きいとよい。なお、切り欠き２６２ｃは、例えば、矩形状の切り欠きであるが、これに限定されない。
【００８７】
なお、図２〜図４に示す電源部２００ａは、第１本体部２１１、回路部２３０、回路カバー２４０、固定板２５０、及び、第１カバー部２６１を含んで構成される。発光部２００ｂは、第２本体部２１２、発光モジュール２２０、及び、第２カバー部２６２を含んで構成される。連結部２００ｃは、第１連結部２１３及び第２連結部２６３を含んで構成される。開口２００ｄは、開口２１３ａ及び２６３ａにより形成される。
【００８８】
上記のように、光源ユニット２００は、電源部２００ａと発光部２００ｂとが離隔して配置されている。この構成により、電源部２００ａ及び発光部２００ｂのそれぞれで発生する熱が干渉することを抑制することができる。例えば、発光部２００ｂからの熱により電源部２００ａがさらに温められることにより、電源部２００ａ内の回路部品２３２ｂが破壊されることを抑制することができる。
【００８９】
［３.取り付け時の説明］
次に、上記の光源ユニット２００を器具本体１００に取り付けるときについて、図１０を参照しながら説明する。図１０は、本実施の形態に係る光源ユニット２００の断面図である。なお、図示していないが、光源ユニット２００よりＺ軸マイナス側に器具本体１００が配置されているとする。
【００９０】
図１０に示すように、ユーザは、光源ユニット２００を器具本体１００に取り付けるとき、開口２００ｄを介して電極ピン２３１を視認することができる。発光部２００ｂが電源部２００ａ（例えば、電極ピン２３１）より器具本体１００側に配置されていること、及び、開口２００ｄが人の指が入る程度の大きさの開口であることにより、実現することができる。これにより、ユーザは、電極ピン２３１の位置と、ソケット１１０の開口１１１の位置とを視認しながら、器具本体１００に光源ユニット２００を取り付けることができるので、取付作業を容易に行うことができる。
【００９１】
［４.効果など］
以上のように、本実施の形態に係る光源ユニット２００は、器具本体１００に着脱自在に取り付けられる光源ユニット２００であって、器具本体１００から供給される電力を受けるための口金２３０ａと、口金２３０ａに接続された電源ユニット２３２と、電源ユニット２３２を収容する回路ケース２３３と、回路ケース２３３を囲む枠状の発光モジュール２２０（第１発光モジュールの一例）であって、電源ユニット２３２からの電力により発光する発光モジュール２２０と、回路ケース２３３を覆う第１カバー部２６１と、第１カバー部２６１と離隔して配置された、発光モジュール２２０を覆う枠状の第２カバー部２６２と、第１カバー部２６１及び第２カバー部２６２を連結する第２連結部２６３（第３カバー部の一例）とを有する光源カバー２６０（カバーの一例）とを備える。そして、発光モジュール２２０は、光源ユニット２００が器具本体１００に取り付けられた状態で、回路ケース２３３より器具本体１００側に位置しており、かつ、第１カバー部２６１、第２カバー部２６２、及び、第２連結部２６３は、一体成形品である。
【００９２】
これにより、回路ケース２３３を覆う第１カバー部２６１と発光モジュール２２０を覆う第２カバー部２６２とが一体で形成されているので、光源カバー２６０を容易に回路ケース２３３及び発光モジュール２２０に取り付けることができる。例えば、第１カバー部２６１と第２カバー部２６２とが別体である場合に比べて、光源カバー２６０を容易に回路ケース２３３及び発光モジュール２２０に取り付けることができる。また、第１カバー部２６１と第２カバー部２６２とは、離隔しており、かつ、第２連結部２６３で連結されていることから、第１カバー部２６１と第２カバー部２６２との間には、開口２００ｄ（空間）が形成されている。作業者は、例えば、当該開口２００ｄに指を入れて光源カバー２６０を持つことができる。これにより、光源カバー２６０のハンドリングを容易に行うことができるので、作業効率が改善する。
【００９３】
また、器具本体１００に取り付けられている光源ユニット２００を交換する場合においても、開口２００ｄに指を入れて作業を行うことで、光源ユニット２００を容易に取り付け及び取り外しすることができる。さらに、作業者は、開口２００ｄを介して口金２３０ａ（例えば、電極ピン２３１）を視認することができるので、器具本体１００のソケット１１０に光源ユニット２００を容易に取り付けることが可能となる。
【００９４】
よって、本実施の形態に係る光源ユニット２００によれば、組み立て時及び交換時における作業性が向上される。
【００９５】
また、回路ケース２３３は、電源ユニット２３２から発光モジュール２２０に電力を供給するための１以上の配線２３５が挿通される開口２３３ａ３が形成された有底筒状の第１ケース部２３３ａと、第１ケース部２３３ａの筒状部からフランジ状に突出した底面部２３３ｂ１（フランジ部の一例）であって、１以上の配線２３５を保持するための保持部２３４（第１保持部の一例）を有する底面部２３３ｂ１を有する。光源ユニット２００は、さらに、底面部２４１（第１底面部の一例）と当該底面部２４１の外周部から回路ケース２３３側に突出した側面部２４２（第１側面部の一例）とを有し、側面部２４２が底面部２３３ｂ１に載置されることで開口２３３ａ３を覆う回路カバー２４０を備える。そして、側面部２４２は、回路カバー２４０を底面部２３３ｂ１に載置したときに保持部２３４が配置されている位置に切り欠き２４３（第１切り欠きの一例）を有する。切り欠き２４３は、保持部２３４と側面部２４２との距離（例えば、距離Ｄ１及びＤ２）が１以上の配線２３５それぞれの幅Ｗの合計値より大きくなるように設けられる。
【００９６】
これにより、回路カバー２４０を底面部２３３ｂ１に載置するときに、配線２３５が保持部２３４から外れている場合であっても、回路カバー２４０と回路ケース２３３との間で配線２３５のかみ込みが発生することを抑制することができる。図６を例に説明すると、２本の配線２３５がリブ２３４ａの上面２３４ａ１に重なっている状態であっても、回路カバー２４０と回路ケース２３３との間で配線２３５のかみ込みが発生することを抑制することができる。よって、光源ユニット２００の組み立て時などにおいて、配線２３５のかみ込みにより絶縁不良が発生することを抑制することができる。よって、組み立て時における作業性が向上する。
【００９７】
また、光源ユニット２００は、さらに、回路ケース２３３が着脱自在に取り付けられる第１本体部２１１、及び、第１本体部２１１と離隔して配置された、発光モジュール２２０が取り付けられる第２本体部２１２を有する本体部２１０と、回路ケース２３３を第１本体部２１１に固定するための板状の固定板２５０とを備える。第１本体部２１１は、１以上の配線２３５を保持するための保持部２１４（第２保持部の一例）を有する底面部２１１ｃ（第２底面部の一例）と、当該底面部２１１ｃから突出して設けられた、固定板２５０が載置される側面部２１１ｄ１（第２側面部の一例）とを有する。また、側面部２１１ｄ１は、固定板２５０を側面部２１１ｄ１に載置したときに保持部２１４が配置されている位置に第２切り欠き部２１１ｇ（第２切り欠きの一例）を有する。そして、第２切り欠き部２１１ｇは、側面部２１１ｄ１と固定板２５０との距離Ｄ３が１以上の配線２３５それぞれの幅Ｗの合計値より大きくなるように設けられる。
【００９８】
これにより、固定板２５０を側面部２１１ｄ１に載置するときに、配線２３５が保持部２１４から外れている場合であっても、固定板２５０と側面部２１１ｄ１との間で配線２３５のかみ込みが発生することを抑制することができる。図７を例に説明すると、２本の配線２３５が上面２１１ｈに重なっている状態であっても、固定板２５０と側面部２１１ｄ１との間で配線２３５のかみ込みが発生することを抑制することができる。よって、光源ユニット２００の組み立て時などにおいて、配線２３５のかみ込みにより絶縁不良が発生することをさらに抑制することができる。よって、組み立て時における作業性がさらに向上する。
【００９９】
また、本体部２１０は、回路ケース２３３及び発光モジュール２２０を連結する第１連結部２１３（連結部の一例）であって、第２連結部２６３に覆われる第１連結部２１３を有する。第２本体部２１２は、内周部のうち第１連結部２１３が連結される位置に第２カバー部２６２側に突出するリブ２１２ｂ（第３側面部の一例）であって、１以上の配線２３５が挿通される切り欠き２１２ｃ（第３切り欠きの一例）が形成されているリブ２１２ｂを有する。第２カバー部２６２は、内周部から第２本体部２１２側に突出し、かつ、リブ２１２ｂが配置されている位置に切り欠き２６２ｃ（第４切り欠きの一例）が形成されている側面部２６２ｂ（第４側面部の一例）を有する。そして、切り欠き２６２ｃは、リブ２１２ｂと側面部２６２ｂとの距離Ｄ４が１以上の配線２３５それぞれの幅Ｗの合計値より大きくなるように設けられる。
【０１００】
これにより、光源カバー２６０を本体部２１０に取り付けるときに、配線２３５が切り欠き２１２ｃから外れている場合であっても、光源カバー２６０と本体部２１０との間で配線２３５のかみ込みが発生することを抑制することができる。図８を例に説明すると、２本の配線２３５がリブ２１２ｂの上面２１１ａ１に重なっている状態であっても、光源カバー２６０と本体部２１０との間で配線２３５のかみ込みが発生することを抑制することができる。よって、光源ユニット２００の組み立て時などにおいて、配線２３５のかみ込みにより絶縁不良が発生することをさらに抑制することができる。よって、組み立て時における作業性がさらに向上する。
【０１０１】
また、第１カバー部２６１及び第２カバー部２６２のそれぞれは、平坦部２６１ａ及び２６２ａを有する。
【０１０２】
これにより、光源ユニット２００を覆う器具カバー３００が備えられる場合、第１カバー部２６１及び第２カバー部２６２が曲面である場合に比べて、光源ユニット２００と器具カバー３００との距離をより離すことができる。よって、器具カバー３００から出射される光は、より均一な光となる。また、器具カバー３００を小型化することが可能となる。
【０１０３】
また、発光モジュール２２０は、口金２３０ａより器具本体１００側に配置されている。
【０１０４】
これにより、発光モジュール２２０は、設置面側に近い位置に配置されるので、照明効果を高めることができる。例えば、発光モジュール２２０は、明るさのムラの少ない光を照射面に照射することができる。
【０１０５】
また、以上のように、本実施の形態に係る照明器具１０は、上記の光源ユニット２００と、光源ユニット２００が着脱自在に取り付けられる器具本体１００とを備える。
【０１０６】
これにより、組み立て時及び交換時における作業性が向上された光源ユニット２００を備える照明器具１０を実現することができる。
【０１０７】
（実施の形態２）
以下、本実施の形態に係る光源ユニット４００を備える照明器具について、図１１を参照しながら説明する。図１１は、本実施の形態に係る光源ユニット４００の構成を示す分解斜視図である。なお、以下の説明では、実施の形態１との相違点を中心に説明し、実施の形態１と同様の構成については同一の符号を付し、説明を省略又は簡略化する。
【０１０８】
図１１に示すように、本実施の形態に係る光源ユニット４００は、実施の形態１に係る光源ユニット２００が備える固定板２５０に替えて、発光モジュール５００を備える。
【０１０９】
発光モジュール５００は、例えば、白色光を発するための光源である。白色光とは、例えば、色温度（相関色温度）が２６００Ｋ〜７１００Ｋの光である。発光モジュール５００は、回路カバー２４０と第１カバー部２６１との間に配置される。なお、光源ユニット４００が回路カバー２４０を備えない場合、発光モジュール５００は、回路ケース２３３と第１カバー部２６１との間に配置される。発光モジュール５００は、基板５１０と、基板５１０に実装された複数の発光素子５２０とを有する。発光モジュール５００は、第２発光モジュールの一例である。
【０１１０】
基板５１０は、複数の発光素子５２０を実装するためのプリント配線基板であり、円形状に形成されている。基板５１０は、回路部２３０を本体部２１０に固定する固定板としての機能も有する。基板５１０は、本体部２１０と接触して配置される。具体的には、基板５１０は、側面部２１１ｄ１と接触して配置される。より具体的には、基板５１０は、基板５１０の切り欠き５１１が側面部２１１ｄ１の一部からＺ軸プラス側に突出するリブ２１１ｄ２にはめ合わされることにより、本体部２１０に対して固定される。そして、基板５１０は、貫通孔５１２を介して、締結部材２７０（例えば、ネジ）により回路部２３０（具体的には、回路ケース２３３）に締結される。
【０１１１】
これにより、爪部２３３ｃ及び係止部２１３ｃで本体部２１０に固定された回路部２３０をより強固に固定することができる。
【０１１２】
基板５１０は、例えば、樹脂をベースとする樹脂基板、金属をベースとするメタルベース基板、セラミックからなるセラミック基板等を用いることができる。基板５１０は、例えば、アルミニウムにより形成されてもよい。
【０１１３】
複数の発光素子５２０は、基板５１０上に配置される。本実施の形態では、複数の発光素子５２０は、円環状に配置されている。なお、発光素子５２０の数及び配置はこれに限定されない。発光素子５２０は、１つ以上実装されていればよい。発光素子５２０の構成は、発光素子２２２と同じであってもよい。
【０１１４】
なお、発光モジュール５００の代わりに、半導体レーザ等の半導体発光素子、有機ＥＬ素子（ＯＬＥＤ）、無機ＥＬ素子、又は、その他の固体発光素子を用いて構成された発光モジュールが用いられてもよい。また、発光モジュール５００は白色光を発光する例について説明したが、発光色はこれに限定されない。例えば、発光モジュール５００は、発光モジュール２２０と異なる色温度の光を発してもよい。また、発光モジュール５００は、発光モジュール２２０と異なる色の光を発してもよい。
【０１１５】
光源ユニット４００が器具本体１００に取り付けられた状態で、発光モジュール５００は、発光モジュール２２０より器具本体１００と反対側（つまり、照射面側）に配置される。
【０１１６】
以上のように、本実施の形態に係る光源ユニット４００は、回路ケース２３３と第１カバー部２６１との間に配置された発光モジュール５００（第２発光モジュールの一例）とを備える。
【０１１７】
これにより、光源ユニット４００から出射される光は、より均一な明るさの光となる。よって、照射面をより均一に照らすことができる。
【０１１８】
（他の実施の形態）
以上、光源ユニット及び照明器具について、実施の形態に基づいて説明したが、本発明は、この実施の形態に限定されるものではない。本発明の趣旨を逸脱しない限り、当業者が思いつく各種変形を本実施の形態に施したもの及び異なる実施の形態における構成要素を組み合わせて構築される形態も、本発明の範囲内に含まれる。
【０１１９】
例えば、上記実施の形態では、第２本体部２１２は、第１本体部２１１より器具本体１００側に配置される例について説明したが、これに限定されない。第２本体部２１２は、第１本体部２１１と同一平面上に配置されていてもよい。
【０１２０】
また、上記実施の形態では、保持部２１４及び２３４により配線２３５を固定するための保持部が開口２３３ａ３から発光モジュール２２０まで連続的に形成されている例について説明したが、これに限定されない。保持部２１４及び２３４の少なくとも一方は、断続的に形成された凸部を有する構成であってもよい。
【符号の説明】
【０１２１】
１０    照明器具
１００    器具本体
２００、４００    光源ユニット
２１０    本体部
２１１    第１本体部
２１１ｃ    底面部（第２底面部）
２１１ｄ１    側面部（第２側面部）
２１１ｇ    第２切り欠き部（第２切り欠き）
２１２    第２本体部
２１２ｂ    リブ（第３側面部）
２１２ｃ    切り欠き（第３切り欠き）
２１３    第１連結部
２１４    保持部（第２保持部）
２２０、５００    発光モジュール
２３０ａ    口金
２３２    電源ユニット
２３３    回路ケース
２３３ａ    第１ケース部（ケース部）
２３３ａ３    開口
２３３ｂ１    底面部（フランジ部）
２３４    保持部（第１保持部）
２３５    配線
２４０    回路カバー
２４１    底面部（第１底面部）
２４２    側面部（第１側面部）
２４３    切り欠き（第１切り欠き）
２５０    固定板
２６０    光源カバー（カバー）
２６１    第１カバー部
２６１ａ、２６２ａ    平坦部
２６２    第２カバー部
２６２ｂ    側面部（第４側面部）
２６３ｃ    切り欠き（第３切り欠き）
２６３    第２連結部（第３カバー部）
Ｗ    幅
Ｄ１〜Ｄ４    距離
【図１】
2020177803.tif 000003
【図２】
2020177803.tif 000004
【図３】
2020177803.tif 000005
【図４】
2020177803.tif 000006
【図５】
2020177803.tif 000007
【図６】
2020177803.tif 000008
【図７】
2020177803.tif 000009
【図８】
2020177803.tif 000010
【図９】
2020177803.tif 000011
【図１０】
2020177803.tif 000012
【図１１】
2020177803.tif 000013